(57)【要約】【課題】利用者の位置情報をより効率良く収集することができる移動情報収集システムを提供する。【解決手段】移動情報収集システム１は、記憶媒体１２を備えた掲示物１０と、アンテナ部、データを送受信する通信部、属性情報受付部及び携帯端末制御部を備える携帯端末２０と、情報収集サーバ３０と、管理サーバ４０と、を備え、携帯端末２０は、掲示物１０の記憶媒体１２から読み取った管理サーバ接続先に基づいて管理サーバ４０に接続すると共に、属性情報受付部で受け付けた利用者の属性情報を送信し、情報収集サーバ３０は、利用者の属性情報を受信した場合に、クーポン情報、情報収集プログラム等を携帯端末２０に送信し、携帯端末２０は、情報収集プログラムに従って、携帯端末２０の移動情報を情報収集サーバ３０に送信し、情報収集サーバ３０は、携帯端末２０から受信した移動情報と、利用者の属性情報とを対応付けて記憶する。【選択図】図１
2015153371.tif 000002
【特許請求の範囲】
【請求項１】
管理サーバの接続先情報である管理サーバ接続先を記憶する記憶媒体を備えた掲示物と、
前記掲示物の前記記憶媒体との間で非接触により通信するアンテナ部、通信ネットワークを介してデータを送受信する通信部、利用者からの属性情報の入力を受け付ける属性情報受付部、及び携帯端末制御部を備える携帯端末と、
前記携帯端末との間が通信ネットワークを介して接続され、情報収集サーバ制御部を備える情報収集サーバと、
前記携帯端末との間及び前記情報収集サーバとの間が通信ネットワークを介して接続され、管理サーバ制御部を備える管理サーバと、
を備えた移動情報収集システムであって、
前記携帯端末の前記携帯端末制御部は、
前記アンテナ部を介して前記掲示物の前記記憶媒体から読み取った前記管理サーバ接続先に基づいて前記通信ネットワークを介して前記管理サーバに接続すると共に、前記属性情報受付部で受け付けた利用者の属性情報を通信ネットワークを介して送信し、
前記情報収集サーバの前記情報収集サーバ制御部は、
利用者の前記属性情報を受信したことを条件として、クーポン情報、携帯端末のＩＤ及び情報収集プログラムを前記携帯端末に送信し、
前記携帯端末の前記携帯端末制御部は、
前記情報収集サーバから通信ネットワークを介して取得した前記情報収集プログラムに従って、前記携帯端末の移動情報と、前記携帯端末のＩＤとを前記情報収集サーバに送信し、
前記情報収集サーバの前記情報収集サーバ制御部は、
前記携帯端末から受信した前記携帯端末の移動情報及びＩＤと、利用者の前記属性情報とを対応付けて記憶部に記憶すること、
を特徴とする移動情報収集システム。
【請求項２】
請求項１に記載の移動情報収集システムにおいて、
前記携帯端末の前記携帯端末制御部は、
前記管理サーバに接続した際に、当該管理サーバから、利用者に属性情報を入力させるための申込用画面データを取得すること、
を特徴とする移動情報収集システム。
【請求項３】
請求項１又は２に記載の移動情報収集システムにおいて、
前記携帯端末の前記携帯端末制御部は、
前記携帯端末の移動情報及びＩＤを、前記通信部により定期的に前記情報収集サーバに送信させること、
を特徴とする移動情報収集システム。
【請求項４】
請求項１又は２に記載の移動情報収集システムにおいて、
前記携帯端末との間で非接触によりデータを送受信可能な店舗端末を備え、
前記携帯端末の前記携帯端末制御部は、
前記クーポン情報が規定時間内に前記店舗端末で読み取られた場合に、前記携帯端末の移動情報及びＩＤを、前記通信部により前記情報収集サーバに送信させること、
を特徴とする移動情報収集システム。
【請求項５】
請求項４に記載の移動情報収集システムにおいて、
前記携帯端末との間で非接触によりデータを送受信可能な店舗端末を備え、
前記携帯端末の前記携帯端末制御部は、
前記クーポン情報が規定時間内に前記店舗端末で読み取られない場合には、前記携帯端末の保持する前記携帯端末の移動情報及びＩＤを削除すること、
を特徴とする移動情報収集システム。
【請求項６】
請求項１から５のいずれかに記載の移動情報収集システムにおいて、
前記情報収集サーバの情報収集サーバ制御部は、
前記管理サーバから受信した利用者の前記属性情報に応じて、前記携帯端末に送信する前記クーポン情報の内容を変更すること、
を特徴とする移動情報収集システム。
【請求項７】
請求項１から６のいずれかに記載の移動情報収集システムにおいて、
前記通信部が通信ネットワークと接続する際に利用する中継装置の電波強度情報と、及び当該電波強度情報を取得した時刻を、前記携帯端末の移動情報とすること、
を特徴とする移動情報収集システム。
【請求項８】
請求項１から６のいずれかに記載の移動情報収集システムにおいて、
前記携帯端末は、
当該携帯端末の位置座標と時刻とを取得可能なＧＰＳ受信機を備え、
前記ＧＰＳ受信機が取得した前記位置座標、及び前記時刻を、前記携帯端末の移動情報とすること、
を特徴とする移動情報収集システム。
【請求項９】
利用者が携帯可能なコンピュータにおいて実行される移動情報収集プログラムであって、
前記コンピュータを、
アンテナ部を介して掲示物の記憶媒体から読み取った管理サーバ接続先に基づいて、通信ネットワークを介して管理サーバに接続すると共に、属性情報受付部で受け付けた利用者の属性情報を前記管理サーバに送信し、
通信ネットワークを介して取得した情報収集プログラムに従って、携帯端末の移動情報と、前記携帯端末のＩＤとを情報収集サーバに送信する携帯端末制御手段と、
して機能させる移動情報収集プログラム。
【発明の詳細な説明】
【技術分野】
【０００１】
本発明は、移動情報収集システム、及び移動情報収集プログラムに関する。
【背景技術】
【０００２】
従来、自動車等により移動する利用者の位置情報を、ＧＰＳ（Ｇｌｏｂａｌ  Ｐｏｓｉｔｉｏｎｉｎｇ  Ｓｙｓｔｅｍ）を用いて取得し、その位置情報から利用者の興味や嗜好を推定して、サービスの提供に反映させるようにした利用者嗜好推定システムが提案されている（特許文献１参照）。
【０００３】
また、携帯電話やスマートフォン等の携帯端末に搭載されたＧＰＳやＷｉ−Ｆｉ（無線ＬＡＮ）の機能を用いて利用者の位置情報を収集し、その位置情報から利用者の行動分析を行うことにより、販売戦略の立案や商品開発に反映させる技術が実用化されている。
【先行技術文献】
【特許文献】
【０００４】
【特許文献１】特開２０１３−１０９４９１号公報
【発明の概要】
【発明が解決しようとする課題】
【０００５】
近年、個人情報をより慎重に扱うことが求められている。そのため、サービス提供者が利用者の位置情報を収集するには、利用目的、利用範囲、用途等を利用者に説明し、利用者の同意を得る必要がある。しかし、利用者にとっては、位置情報の収集に積極的に参加する動機付けが少ないため、利用者の同意を得ることは難しい。また、利用者への説明や同意を得る手続きは、煩雑で時間がかかるため、利用者だけでなく、サービス提供者にとっても負担が大きい。
【０００６】
本発明の目的は、利用者の位置情報をより効率良く収集することができる移動情報収集システム、及び移動情報収集プログラムを提供することにある。
【課題を解決するための手段】
【０００７】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく。また、少なくとも一部を他の構成物に代替してもよい。
【０００８】
第１の発明は、管理サーバの接続先情報である管理サーバ接続先を記憶する記憶媒体を備えた掲示物（１０）と、前記掲示物の前記記憶媒体との間で非接触により通信するアンテナ部（２１）、通信ネットワークを介してデータを送受信する通信部（２２，２３）、利用者からの属性情報の入力を受け付ける属性情報受付部（２４）、及び携帯端末制御部（２６）を備える携帯端末（２０）と、前記携帯端末との間が通信ネットワークを介して接続され、情報収集サーバ制御部（３３）を備える情報収集サーバ（３０）と、前記携帯端末との間及び前記情報収集サーバとの間が通信ネットワークを介して接続され、管理サーバ制御部（４２）を備える管理サーバ（４０）と、を備えた移動情報収集システム（１）であって、前記携帯端末の前記携帯端末制御部は、前記アンテナ部を介して前記掲示物の前記記憶媒体から読み取った前記管理サーバ接続先に基づいて前記通信ネットワークを介して前記管理サーバに接続すると共に、前記属性情報受付部で受け付けた利用者の属性情報を通信ネットワークを介して送信し、前記情報収集サーバの前記情報収集サーバ制御部は、利用者の前記属性情報を受信したことを条件として、クーポン情報、携帯端末のＩＤ及び情報収集プログラムを前記携帯端末に送信し、前記携帯端末の前記携帯端末制御部は、前記情報収集サーバから通信ネットワークを介して取得した前記情報収集プログラムに従って、前記携帯端末の移動情報と、前記携帯端末のＩＤとを前記情報収集サーバに送信し、前記情報収集サーバの前記情報収集サーバ制御部は、前記携帯端末から受信した前記携帯端末の移動情報及びＩＤと、利用者の前記属性情報とを対応付けて記憶部に記憶すること、を特徴とする移動情報収集システムである。
【０００９】
第２の発明は、第１の発明の移動情報収集システム（１）において、前記携帯端末（２０）の前記携帯端末制御部（２６）は、前記管理サーバ（４０）に接続した際に、当該管理サーバから、利用者に属性情報を入力させるための申込用画面データを取得すること、を特徴とする移動情報収集システムである。
【００１０】
第３の発明は、第１又は第２の発明の移動情報収集システム（１）において、前記携帯端末（２０）の前記携帯端末制御部（２６）は、前記携帯端末の移動情報及びＩＤを、前記通信部（２２，２３）により定期的に前記情報収集サーバ（３０）に送信させること、を特徴とする移動情報収集システムである。
【００１１】
第４の発明は、第１又は第２の発明の移動情報収集システム（１）において、前記携帯端末（２０）との間で非接触によりデータを送受信可能な店舗端末（５１）を備え、前記携帯端末の前記携帯端末制御部（２６）は、前記クーポン情報が規定時間内に前記店舗端末で読み取られた場合に、前記携帯端末の移動情報及びＩＤを、前記通信部（２２，２３）により前記情報収集サーバ（３０）に送信させること、を特徴とする移動情報収集システムである。
【００１２】
第５の発明は、第４の発明の移動情報収集システム（１）において、前記携帯端末（２０）との間で非接触によりデータを送受信可能な店舗端末（５１）を備え、前記携帯端末の前記携帯端末制御部（２６）は、前記クーポン情報が規定時間内に前記店舗端末で読み取られない場合には、前記携帯端末の保持する前記携帯端末の移動情報及びＩＤを削除すること、を特徴とする移動情報収集システムである。
【００１３】
第６の発明は、第１から第５の発明のいずれかの移動情報収集システム（１）において、前記情報収集サーバ（３０）の情報収集サーバ制御部（３３）は、前記管理サーバ（４０）から受信した利用者の前記属性情報に応じて、前記携帯端末（２０）に送信する前記クーポン情報の内容を変更すること、を特徴とする移動情報収集システムである。
【００１４】
第７の発明は、第１から第６の発明のいずれかの移動情報収集システム（１）において、前記通信部（２２）が通信ネットワークと接続する際に利用する中継装置の電波強度情報と、及び当該電波強度情報を取得した時刻を、前記携帯端末（２０）の移動情報とすること、を特徴とする移動情報収集システムである。
【００１５】
第８の発明は、第１から第６の発明のいずれかの移動情報収集システム（１）において、前記携帯端末（２０）は、当該携帯端末の位置座標と時刻とを取得可能なＧＰＳ受信機を備え、前記ＧＰＳ受信機が取得した前記位置座標、及び前記時刻を、前記携帯端末の移動情報とすること、を特徴とする移動情報収集システムである。
【００１６】
第９の発明は、利用者が携帯可能なコンピュータ（２６）において実行される移動情報収集プログラムであって、前記コンピュータを、アンテナ部を介して掲示物の記憶媒体から読み取った管理サーバ接続先に基づいて、通信ネットワークを介して管理サーバに接続すると共に、属性情報受付部で受け付けた利用者の属性情報を前記管理サーバに送信し、通信ネットワークを介して取得した情報収集プログラム（２５１）に従って、携帯端末の移動情報と、前記携帯端末のＩＤとを情報収集サーバに送信する携帯端末制御手段（２６）と、して機能させる移動情報収集プログラムである。
【発明の効果】
【００１７】
本発明によれば、利用者の位置情報をより効率良く収集することができる移動情報収集システム、及び移動情報収集プログラムを提供することができる。
【図面の簡単な説明】
【００１８】
【図１】第１実施形態における移動情報収集システム１の構成を示す概念図である。
【図２】携帯端末２０、情報収集サーバ３０、及び管理サーバ４０の構成を示すブロック図である。
【図３】携帯端末２０に記憶される移動情報管理テーブル２５２の一例を示す説明図である。
【図４】情報収集サーバ３０に記憶されるデータ管理テーブル３２１の一例を示す説明図である。
【図５】携帯端末２０のタッチパネル２４に表示される申込用画面の表示例を示す概念図である。
【図６】第１実施形態の移動情報収集システム１において実行される利用者の属性情報取得処理を示すフローチャートである。
【図７】第１実施形態の移動情報収集システム１において実行される移動情報収集処理を示すフローチャートである。
【図８】第１実施形態の移動情報収集システム１において、利用者によるクーポン情報の取得及び携帯端末２０が情報収集サーバ３０に移動情報を提供する場合の概要を示す説明図である。
【図９】第２実施形態の移動情報収集システム１Ａにおいて実行される移動情報収集処理を示すフローチャートである。
【発明を実施するための形態】
【００１９】
以下、本発明に係る移動情報収集システム、及び移動情報収集プログラムの実施形態について説明する。
［第１実施形態］
図１は、第１実施形態の移動情報収集システム１の全体構成を示す概念図である。図２（ａ）〜（ｃ）は、携帯端末２０、情報収集サーバ３０、及び管理サーバ４０の構成を示すブロック図である。図３は、携帯端末２０に記憶される移動情報管理テーブル２５２の一例を示す説明図である。図４は、情報収集サーバ３０に記憶されるデータ管理テーブル３２１の一例を示す説明図である。
【００２０】
図１に示すように、本実施形態の移動情報収集システム１は、掲示物としてのポスタ１０と、携帯端末２０と、情報収集サーバ３０と、管理サーバ４０と、レジスタ５０と、を備える。なお、以下の説明において、移動情報収集システム１により利用者に提供されるサービス全体を総称して、「行動調査モニタキャンペーン」という。
【００２１】
ポスタ１０は、紙材、樹脂シート等から形成された広告媒体である。ポスタ１０は、街頭、店舗、イベント会場、駅等の壁面に掲示される。ポスタ１０は、行動調査モニタキャンペーンの広告に関する。ポスタ１０は、印刷１１と、記憶媒体としてのＩＣタグ１２と、を備える。印刷１１は、ポスタ１０の表側の面に設けられている。印刷１１の内容は、行動調査モニタキャンペーンの実施に関するものであり、利用者の情報収集に関する告知文、利用者に提供される特典（本例では割引クーポン）の説明文等が掲載される。
【００２２】
利用者の情報収集に関する告知文は、利用者から取得する情報、その情報の利用範囲、使用目的等の説明文である。利用者から取得する情報には、利用者の属性情報、及び利用者の移動情報が含まれる。本実施形態において、利用者の属性情報とは、利用者の年齢、性別、同行者、居住エリア等である。また、利用者の移動情報とは、割引クーポンの有効日における利用者の行動履歴である。利用者の移動情報については後述する。
【００２３】
ＩＣタグ１２は、ＲＦＩＤ（Ｒａｄｉｏ  Ｆｒｅｑｕｅｎｃｙ  Ｉｄｅｎｔｉｆｉｃａｔｉｏｎ）タグである。ＩＣタグ１２には、管理サーバ４０の接続先情報である管理サーバ接続先（以下、「管理サーバＵＲＩ」ともいう）が記憶されている。ＩＣタグ１２は、ポスタ１０の表面に配置されている。ＩＣタグ１２は、携帯端末２０（後述）と通信するためのアンテナ（不図示）を備える。ＩＣタグ１２と携帯端末２０との間の通信は、例えば、数ｍｍ〜数十ｍｍ程度の距離で行われる。ＩＣタグ１２の通信は、例えば、ＮＦＣ規格（ＩＳＯ／ＩＥＣ１８０２（ＮＦＣ  ＩＰ−１）、（ＩＳＯ／ＩＥＣ１４８１（ＮＦＣ  ＩＰ−２）に基づいて、１３．５６ＭＨｚの電磁波を利用して行われる。
【００２４】
携帯端末２０は、利用者が保持する通信端末装置であり、例えばスマートフォン、タブレット端末、タッチパネル型パーソナルコンピュータ等である。即ち、携帯端末２０は、利用者が携帯可能なコンピュータである。
【００２５】
携帯端末２０は、図２（ａ）に示すように、アンテナ部２１と、第１通信部２２と、第２通信部２３と、属性情報受付部としてのタッチパネル２４と、記憶部２５と、携帯端末制御部としての制御部２６と、を備える。なお、図２（ａ）では、携帯端末２０において、本実施形態の説明に必要な機能ブロックのみを図示している。
【００２６】
アンテナ部２１は、ＲＦＩＤタグとの間でデータを送受信するループアンテナ（不図示）を備える。アンテナ部２１は、携帯端末２０がポスタ１０に近づけられた状態で、ＩＣタグ１２（ポスタ１０）に記憶されている管理サーバＵＲＩを読み取る。また、記憶部２５に記憶されたクーポン情報（後述）は、アンテナ部２１を介して、店舗に設置されたリーダライタ５１（後述）に読み取られる。
【００２７】
第１通信部２２は、通信ネットワーク６０及び中継装置７０を介して、情報収集サーバ３０、管理サーバ４０等との間でデータを送受信するための通信インターフェースである。第１通信部２２は、中継装置７０を介して通信ネットワーク６０に接続されている。第１通信部２２と中継装置７０との間は、例えば、Ｗｉ−Ｆｉ通信、Ｂｌｕｅｔｏｏｔｈ（登録商標）通信等の無線ＬＡＮによりデータが送受信される。中継装置７０は、例えば、利用者の利用する店舗、フロア内等に複数配置されている。
【００２８】
第２通信部２３は、通信ネットワーク６０及び基地局８０を介して、情報収集サーバ３０、管理サーバ４０等との間でデータを送受信するための通信インターフェースである。第２通信部２３は、基地局８０（及びネットワーク接続用のサーバ）を介して通信ネットワーク６０に接続されている。第２通信部２３と基地局８０との間は、携帯電話用の無線通信方式によりデータが送受信される。
【００２９】
タッチパネル２４は、液晶パネル等の表示デバイスで構成される表示部と、タッチスクリーン等の操作検出デバイスで構成される入力部と、を備える（いずれも不図示）。利用者は、タッチパネル２４に指等で触れてジェスチャーを行うことにより、制御部２６（後述）に対してデータの入力や動作の指示を行うことができる。利用者は、タッチパネル２４の表示部に表示された申込用画面（後述）を見ながら、タッチパネル２４の入力部を操作することにより、自身の属性情報等を携帯端末２０に入力することができる。従って、タッチパネル２４は、利用者による属性情報の入力を受け付けることができる。
【００３０】
記憶部２５は、半導体メモリ等により構成される。記憶部２５には、制御部２６において実行されるプログラム、データ等が記憶される。記憶部２５の所定の記憶領域には、割引クーポンに関する情報（以下、「クーポン情報」ともいう）、携帯端末２０を一時的に識別するためのＩＤ（以下、「仮ＩＤ」ともいう）、申込用画面データ等が一時記憶される。クーポン情報、仮ＩＤ、及び申込用画面データは、情報収集サーバ３０から配信されるデータである。
【００３１】
記憶部２５には、移動情報収集プログラム（後述）のほか、情報収集プログラム２５１、及び移動情報管理テーブル２５２が一時記憶される。情報収集プログラム２５１は、情報収集サーバ３０（後述）から、通信ネットワーク６０を介して配信されるアプリケーションプログラムである。制御部２６は、情報収集プログラム２５１に従って、移動情報収集処理を実行する。
【００３２】
移動情報管理テーブル２５２は、制御部２６が情報収集プログラム２５１に従って取得した移動情報を記憶するテーブルである。移動情報管理テーブル２５２は、情報収集プログラム２５１により生成される。移動情報管理テーブル２５２には、図３に示すように、仮ＩＤに対応付けられた、中継装置７０の識別情報（アクセスポイントＮｏ．）、電波強度情報、時刻が時系列に記憶される。
【００３３】
制御部２６は、携帯端末２０の動作を統括的に制御するＣＰＵである。制御部２６は、記憶部２５（後述）に記憶されているオペレーティングシステム（ＯＳ）やアプリケーションプログラムを読み出して実行することにより、各ハードウェアと協働して、後述する各種の機能を実現する。例えば、制御部２６は、移動情報収集プログラムに従って、以下の動作を実行する。
【００３４】
制御部２６は、ポスタ１０のＩＣタグ１２に記憶されている管理サーバＵＲＩがアンテナ部２１で読み取られると、読み取った管理サーバＵＲＩに基づいて、第２通信部２３（又は第１通信部２２）により、通信ネットワーク６０を介して管理サーバ４０に接続させる。
【００３５】
また、制御部２６は、管理サーバ４０から受信した申込用画面データにより、タッチパネル２４に申込用画面を表示させる。そして制御部２６は、利用者が申込用画面を介してタッチパネル２４（入力部）を操作することにより属性情報等が入力されると、取得した利用者の属性情報を、第２通信部２３（又は第１通信部２２）により、通信ネットワーク６０を介して管理サーバ４０へ送信させる。
【００３６】
また、制御部２６は、情報収集サーバ３０から受信した情報収集プログラム２５１に従って、携帯端末２０の移動情報を、割引クーポンを利用できる時間帯（例えば、店舗の営業時間内）において定期的に取得する。制御部２６は、携帯端末２０の移動情報を、例えば数十秒毎に取得する。
【００３７】
また、制御部２６は、情報収集プログラム２５１に従って、移動情報管理テーブル２５２に記憶された携帯端末２０の移動情報及び仮ＩＤを、第１通信部２２を介して定期的に情報収集サーバ３０に送信させる。制御部２６は、携帯端末２０の移動情報及び仮ＩＤを、例えば３０分毎に情報収集サーバ３０に送信させる。情報収集サーバ３０に送信される携帯端末２０の移動情報は、送信の時点で移動情報管理テーブル２５２に記憶されている全データであってもよいし、新たに加えられた分のデータであってもよい。
【００３８】
携帯端末２０の移動情報には、電波強度情報と、時刻とが含まれる。制御部２６は、情報収集プログラム２５１に従って、第１通信部２２が通信ネットワーク６０と接続する際に利用する中継装置７０の識別情報を取得すると共に、識別情報を取得した中継装置７０の電波強度を測定する。制御部２６は、中継装置７０の識別情報及びその電波強度を、電波強度情報として取得する。更に、制御部２６は、電波強度情報及びこの電波強度情報を取得した時刻を、携帯端末２０の移動情報として記憶部２５（後述）に記憶させる。
【００３９】
情報収集サーバ３０は、行動調査モニタキャンペーンにより、利用者に割引クーポンを提供する事業者により管理、運営されるサーバである。情報収集サーバ３０は、携帯端末２０との間、及び管理サーバ４０（後述）との間が通信ネットワーク６０を介して接続されている。情報収集サーバ３０は、図２（ｂ）に示すように、基本データ記憶部３１と、移動情報記憶部３２と、情報収集サーバ制御部としての制御部３３と、を備える。
【００４０】
基本データ記憶部３１及び移動情報記憶部３２は、ハードディスク、半導体メモリ等により構成される。
基本データ記憶部３１には、クーポン情報、仮ＩＤ、情報収集プログラム等の基本データが記憶される。
【００４１】
クーポン情報は、管理サーバ４０から送信される利用者の属性情報に応じて設定される。即ち、後述する割引率毎にクーポン情報が記憶されている。クーポン情報には、商品の割引率のほか、各クーポン情報に固有の識別情報が含まれる。この識別情報は、後述する仮ＩＤと関連付けられている。
【００４２】
仮ＩＤは、携帯端末２０を一時的に識別するためのＩＤである。仮ＩＤは、利用者毎に割り当てられる固有の識別番号であり、情報収集サーバ３０において予め用意される。仮ＩＤは、例えば、初番の「１００００００１」から順に数値を１増させることにより割り振られた固有の番号である。なお、仮ＩＤは、管理サーバ４０から利用者の属性情報を受信した際に、他の利用者と共通しない固有の番号を割り当てて発行するようにしてもよい。
【００４３】
移動情報記憶部３２には、データ管理テーブル３２１が記憶される。データ管理テーブル３２１は、図４に示すように、携帯端末２０の移動情報（ＤＡＴＡＮｏ．ＸＸＸ）及び仮ＩＤと、該当する利用者の属性情報（ＤＡＴＡＮｏ．ＹＹＹ）とを対応付けて記憶するテーブルである。なお、図４に示す移動情報（ＤＡＴＡＮｏ．ＸＸＸ）は、携帯端末２０から定期的に受信した複数の移動情報を含むデータである。
【００４４】
情報収集サーバ３０は、携帯端末２０の移動情報及び仮ＩＤを、通信ネットワーク６０を介して携帯端末２０から取得する。また、情報収集サーバ３０は、利用者の属性情報を、通信ネットワーク６０を介して管理サーバ４０から取得する。なお、図示していないが、店舗においてクーポン情報が利用された場合、データ管理テーブル３２１には、クーポン情報が利用された時刻に関する情報も記憶される。
【００４５】
制御部３３は、管理サーバ４０から利用者の属性情報を取得したことを条件として、基本データ記憶部３１に記憶されたクーポン情報、仮ＩＤ、及び情報収集プログラムを、通信ネットワーク６０を介して携帯端末２０へ送信する。制御部３３は、管理サーバ４０から利用者の属性情報を取得した際に、予め用意された仮ＩＤの１つを該当する利用者の属性情報に割り当てる。また、制御部３３は、利用者から提供された属性情報の内容に応じたグレードのクーポン情報（後述）を送信する。
【００４６】
また、制御部３３は、携帯端末２０から通信ネットワーク６０を介して受信した携帯端末２０の移動情報及び仮ＩＤを、同じ仮ＩＤが割り当てられた利用者の属性情報と対応付けて移動情報記憶部３２のデータ管理テーブル３２１に記憶させる。
【００４７】
なお、情報収集サーバ３０は、中継装置７０の位置情報に関するデータベース（不図示）を備える。このデータベースには、中継装置７０の位置情報及び識別情報が対応付けて記憶されている。そのため、制御部３３は、取得した携帯端末２０の移動情報（電波強度情報＋時刻）と当該データベースとを参照することにより、時刻毎の利用者の位置情報を割り出すことができる。従って、時間毎に割り出した利用者の位置情報に基づいて、店舗等における利用者の行動分析を行うことができる。
【００４８】
管理サーバ４０は、移動情報収集システム１の全体を管理する事業者により運営されるサーバである。管理サーバ４０は、携帯端末２０との間、及び情報収集サーバ３０との間が通信ネットワーク６０を介して接続されている。管理サーバ４０は、図２（ｃ）に示すように、記憶部４１と、管理サーバ制御部としての制御部４２と、を備える。
【００４９】
記憶部４１は、ハードディスク、半導体メモリ等により構成される。記憶部４１には、行動調査モニタキャンペーンの申込用画面データ（以下、「申込用画面データ」ともいう）、利用者の属性情報等が記憶される。申込用画面データは、携帯端末２０のタッチパネル２４（表示部）上に表示される画像のデータである。申込用画面データは、携帯端末２０が通信ネットワーク６０を介して管理サーバ４０に接続することにより、携帯端末２０の記憶部４１にダウンロードされる。
【００５０】
制御部４２は、管理サーバ４０の動作を統括的に制御するＣＰＵである。制御部４２は、携帯端末２０が通信ネットワーク６０を介して管理サーバ４０に接続すると、申込用画面データを携帯端末２０に送信する。また、制御部４２は、携帯端末２０から、申込用画面に対して入力された利用者の属性情報を取得して記憶部４１に記憶すると共に、取得した利用者の属性情報を、通信ネットワーク６０を介して情報収集サーバ３０に送信する。なお、制御部４２は、携帯端末２０が管理サーバ４０に接続した際に、携帯端末２０のメールアドレスを取得する。
【００５１】
ここで、携帯端末２０のタッチパネル２４に表示される申込用画面について説明する。図５（ａ）〜（ｄ）は、携帯端末２０のタッチパネル２４に表示される申込用画面の表示例を示す概念図である。
【００５２】
申込用画面データが携帯端末２０にダウンロードされると、携帯端末２０のタッチパネル２４には、図５（ａ）に示す申込開始画面Ａ１が表示される。そして、利用者がタッチパネル２４に表示された申込開始画面Ａ１の所定領域をタッチすると、図５（ｂ）に示す申込説明画面Ａ２が表示される。申込説明画面Ａ２には、利用者の情報収集に関する告知文、利用者に提供される特典の説明文等が表示される。
【００５３】
利用者がタッチパネル２４に表示された申込説明画面Ａ２の「同意する」の領域をタッチすると、図５（ｃ）に示す「クーポン表示画面Ａ３が表示される。図５（ｂ）で表示された申込説明画面Ａ２の説明文（省略）には、割引クーポンの割引率が高くなるにつれて、利用者が提供する属性情報の内容が増えることが記載されている。
【００５４】
例えば、割引クーポンの割引率が１０％であれば、利用者の提供する属性情報の内容が、「利用者の年齢、性別、同行者、居住エリア」の４種類であることが記載される。また、割引クーポンの割引率が２０％であれば、利用者の提供する属性情報の内容が、「利用者の年齢、性別、同行者、居住エリア、職業、勤務エリア」の６種類であることが記載される。利用者は、開示してもよいと考える個人情報の範囲を考慮した上で、割引クーポンの割引率を選択する。
【００５５】
図５（ｃ）に示すクーポン表示画面Ａ３において、例えば、利用者がタッチパネル２４の「１０％ＯＦＦ」の領域をタッチすると、図５（ｄ）に示す属性情報入力画面Ａ４が表示される。利用者は、属性情報入力画面Ａ４の各項目について、プルダウンメニューから選択項目の一覧を引き出すことにより、年齢、性別等の情報を入力することができる。そして、利用者が属性情報入力画面Ａ４の各項目に入力を行い、「登録」の領域をタッチすることにより、本キャンペーンへの申込が完了する。この後、利用者の属性情報は、通信ネットワーク６０を介して管理サーバ４０へ送信される。
【００５６】
再び、図１に戻って、移動情報収集システム１の構成について説明する。
レジスタ５０は、精算処理機能、売上集計管理機能、電子決済機能等を備えた装置であり、店舗（不図示）設置される。レジスタ５０は、通信ネットワーク６０に接続されている。レジスタ５０は、通信ネットワーク６０を介して、情報収集サーバ３０との間でデータの送受信を行うことができる。
【００５７】
レジスタ５０には、リーダライタ５１が接続される。リーダライタ５１は、携帯端末２０のアンテナ部２１との間で非接触によりデータを送受信可能な店舗端末である。利用者が店舗で商品を購入する際に、携帯端末２０をリーダライタ５１に近づけることにより、携帯端末２０の記憶部２５に記憶されたクーポン情報が、アンテナ部２１を介して、リーダライタ５１に読み取られる。
【００５８】
リーダライタ５１により読み取られたクーポン情報は、リーダライタ５１に接続されたレジスタ５０のディスプレイ５０１に表示される。店舗のスタッフは、利用者の購入した商品を精算する際に、レジスタ５０のディスプレイ５０１に表示されたクーポン情報により、商品の割引率を確認することができる。これにより、利用者は、携帯端末２０に記憶されているクーポン情報の割引率で商品を購入することができる。
【００５９】
なお、割引クーポンは、利用可能な期間において何回でも利用できるものでもよいし、利用可能な期間において１回限り利用できるものでもよい。店舗のリーダライタ５１で読み取られたクーポン情報は、レジスタ５０のメモリ（ハードディスク等）に記憶される。クーポン情報には、固有の識別情報が含まれるため、リーダライタ５１で読み取られたクーポン情報の識別情報をメモリで検索することにより、すでに利用されたクーポン情報であるか否かを判別することができる。
【００６０】
図示していないが、本実施形態では、利用者によりクーポン情報が利用されたときに、クーポン情報の識別情報、及びクーポン情報の利用された時刻が、レジスタ５０から通信ネットワーク６０を介して情報収集サーバ３０に送信される。情報収集サーバ３０の制御部３３は、受信したクーポン情報の識別情報と関連付けられた仮ＩＤに基づいてデータ管理テーブル３２１（図４参照）を検索し、この仮ＩＤを含むデータ項目に、クーポン情報が利用された時刻を記録する。
【００６１】
次に、第１実施形態の移動情報収集システム１において実行される利用者の属性情報取得処理、及び移動情報収集処理について説明する。図６は、第１実施形態の移動情報収集システム１において実行される利用者の属性情報取得処理を示すフローチャートである。図７は、第１実施形態の移動情報収集システム１において実行される移動情報収集処理を示すフローチャートである。また、図８は、第１実施形態の移動情報収集システム１において、利用者によるクーポン情報の取得及び携帯端末２０が情報収集サーバ３０に移動情報を提供する場合の概要を示す説明図である。なお、図８では、通信ネットワーク等の図示を省略している。
【００６２】
まず、図６を参照しながら、利用者の属性情報取得処理について説明する。図６に示すフローチャートの処理は、図８に示すように、利用者Ａが携帯端末２０を操作して、ポスタ１０のＩＣタグ１２に記憶された管理サーバＵＲＩの読み取りを実行することによりスタートする。
【００６３】
図６に示すステップＳ（以下、「Ｓ」という）１０１において、携帯端末２０の制御部２６は、ポスタ１０のＩＣタグ１２から読み取った管理サーバＵＲＩに基づいて、通信ネットワーク６０を介して管理サーバ４０に接続する（申込要求の送信）。
【００６４】
Ｓ２０１において、管理サーバ４０の制御部４２は、携帯端末２０から送信された申込要求を受信する。
Ｓ２０２において、管理サーバ４０の制御部４２は、行動調査モニタキャンペーンの申込用画面データを、通信ネットワーク６０を介して携帯端末２０へ送信する。
Ｓ１０２において、携帯端末２０の制御部２６は、管理サーバ４０から送信された申込用画面データを受信して、記憶部２５に記憶する。
【００６５】
Ｓ１０３において、携帯端末２０の制御部２６は、受信した申込用画面データに基づいて、タッチパネル２４に申込用画面を表示させる。利用者Ａは、携帯端末２０のタッチパネル２４に表示された各画面（図５参照）に対して所定の操作を行うことにより、クーポン情報のグレード、自身の属性情報等を入力することができる。
Ｓ１０４において、携帯端末２０の制御部２６は、タッチパネル２４を介して、クーポン情報のグレード、利用者Ａの属性情報の入力を受付けて、記憶部２５に記憶する。
【００６６】
Ｓ１０５において、携帯端末２０の制御部２６は、クーポン情報のグレード、及び利用者Ａの属性情報を、通信ネットワーク６０を介して管理サーバ４０へ送信する。なお、クーポン情報のグレードは、利用者Ａの提供した属性情報の内容により特定できるため、携帯端末２０から、利用者Ａの属性情報のみを管理サーバ４０へ送信するようにしてもよい。
【００６７】
Ｓ２０３において、管理サーバ４０の制御部４２は、携帯端末２０から送信されたクーポン情報のグレード、及び利用者Ａの属性情報を受信して、記憶部４１に記憶する。
Ｓ２０４において、管理サーバ４０の制御部４２は、携帯端末２０から受信したクーポン情報のグレード、利用者Ａの属性情報、及び携帯端末２０のメールアドレスを、通信ネットワーク６０を介して情報収集サーバ３０へ送信する。
【００６８】
Ｓ３０１において、情報収集サーバ３０の制御部３３は、管理サーバ４０から送信された利用者Ａの属性情報等を受信して、利用者Ａに割り当てた仮ＩＤと共に移動情報記憶部３２に記憶する。
【００６９】
Ｓ３０２において、情報収集サーバ３０の制御部３３は、利用者Ａから提供された属性情報の内容に応じたグレードのクーポン情報、仮ＩＤ、及び情報収集プログラムを、通信ネットワーク６０を介して携帯端末２０のメールアドレスへ送信する。
【００７０】
Ｓ１０６において、携帯端末２０の制御部２６は、情報収集サーバ３０から送信されたクーポン情報、仮ＩＤ、及び情報収集プログラムを受信して、記憶部２５に記憶する。なお、情報収集プログラムを受信すると、携帯端末２０のタッチパネル２４（表示部）には、クーポン情報を取得したこと等を知らせる画面（不図示）が表示される。利用者Ａは、当該画面において、割引クーポンの有効日、割引クーポンが使える店舗名、割引クーポンが使える時間帯等を確認することができる。
【００７１】
この後、割引クーポンを取得した利用者Ａは、割引クーポンの有効日に、割引クーポンを利用できる店舗１００に陳列された商品等を見ながら、自身の興味や関心に応じて自由に行動する（図８参照）。なお、利用者Ａは、割引クーポンの有効日に、店舗１００において、割引クーポンを利用して（或いは割引クーポンを利用しないで）買い物をしてもよいし、買い物をしなくてもよい。一方、利用者に割引クーポンを提供する事業者は、利用者Ａが割引クーポンを利用しないで買い物した場合や、買い物をしなかった場合でも、割引クーポンの有効日において、利用者Ａの移動情報を取得することができる。
【００７２】
次に、図７を参照しながら、移動情報収集処理について説明する。図７に示すフローチャートの処理は、割引クーポンの有効日において、割引クーポンの利用開始時間となった時点でスタートする。
【００７３】
図７に示すＳ１１１において、携帯端末２０の制御部２６は、携帯端末２０の移動情報を取得するタイミングか否かを判断する。例えば、制御部２６において、携帯端末２０の移動情報を１０分毎に取得する場合、移動情報を取得するタイミングを計時する取得時間用タイマ（不図示）の計時が１０分に達すると、Ｓ１１１の判定がＹＥＳとなる。取得時間用タイマは、１０分毎にリセットされ、新たな計時が開始される。Ｓ１１１の判定がＹＥＳであれば、処理はＳ１１２へ移行する。また、Ｓ１１１の判定がＮＯであれば、処理はＳ１１１へ戻る。
【００７４】
Ｓ１１２において、携帯端末２０の制御部２６は、携帯端末２０の移動情報を取得し、記憶部２５に記憶させる。図８に示すように、店舗１００内には、複数の中継装置７０が設置されている。利用者Ａが店舗１００内を移動すると、携帯端末２０の制御部２６は、識別情報を取得した中継装置７０の電波強度を測定し、中継装置７０の識別情報及びその電波強度を、電波強度情報として取得する。また、携帯端末２０の制御部２６は、電波強度情報及びこの電波強度情報を取得した時刻を、携帯端末２０の移動情報として、記憶部２５の移動情報管理テーブル２５２（図３参照）に記憶させる。なお、Ｓ１１２では、１つの中継装置７０の電波強度情報を取得することもあるし、電波強度の異なる複数の中継装置７０の電波強度情報を同時に取得することもある。なお、電波状態が悪く、中継装置７０の電波強度を測定できない場合、Ｓ１１２の処理をスキップして、処理はＳ１１３へ移行する。
【００７５】
Ｓ１１３において、携帯端末２０の制御部２６は、携帯端末２０の移動情報を情報収集サーバ３０へ送信するタイミングか否かを判定する。例えば、制御部２６において、携帯端末２０の移動情報を３０分毎に送信する場合、移動情報を送信するタイミングを計時する送信時間用タイマ（不図示）の計時が３０分に達すると、Ｓ１１３の判定がＹＥＳとなる。送信時間用タイマは、３０分毎にリセットされ、新たな計時が開始される。Ｓ１１３の判定がＹＥＳであれば、処理はＳ１１４へ移行する。また、Ｓ１１３の判定がＮＯであれば、処理はＳ１１１へ戻る。Ｓ１１１〜Ｓ１１３の処理が繰り返されることにより、移動情報管理テーブル２５２には、携帯端末２０の移動情報が蓄積される。
【００７６】
Ｓ１１４において、携帯端末２０の制御部２６は、移動情報管理テーブル２５２に記憶されている移動情報に、情報収集サーバ３０から受信した仮ＩＤを関連付けて、情報収集サーバ３０へ送信する。
【００７７】
Ｓ３１１において、情報収集サーバ３０の制御部３３は、携帯端末２０から送信された携帯端末２０の移動情報及び仮ＩＤを受信して、同じ仮ＩＤが割り当てられた利用者の属性情報と対応付けて移動情報記憶部３２のデータ管理テーブル３２１（図４参照）に記憶させる。
【００７８】
Ｓ１１５において、携帯端末２０の制御部２６は、割引クーポンの利用終了時間となったか否かを判定する。Ｓ１１５の判定がＹＥＳであれば、処理はＳ１１６へ移行する。また、Ｓ１１５の判定がＮＯであれば、処理はＳ１１１へ戻る。
Ｓ１１６において、携帯端末２０の制御部２６は、管理サーバ４０に、移動情報収集処理の終了通知を送信する。
【００７９】
Ｓ１１７において、携帯端末２０の制御部２６は、行動調査モニタキャンペーンの終了を知らせる画面をタッチパネル２４に表示させると共に、クーポン情報、仮ＩＤ、申込用画面データ等のほか、情報収集プログラム２５１、移動情報管理テーブル２５２を記憶部２５から削除する。
【００８０】
なお、Ｓ１１７において、携帯端末２０の制御部２６は、移動情報管理テーブル２５２に未送信の移動情報が存在する場合には、その移動情報に仮ＩＤを関連付けて、情報収集サーバ３０へ送信する。
【００８１】
Ｓ２１１において、管理サーバ４０の制御部４２は、携帯端末２０から送信された移動情報収集処理の終了通知を受信する。
Ｓ２１２において、管理サーバ４０の制御部４２は、利用者Ａの属性情報を記憶部４１から削除する。
Ｓ２１３において、管理サーバ４０の制御部４２は、情報収集サーバ３０に、移動情報収集処理の終了通知を送信する。
Ｓ３１２において、情報収集サーバ３０の制御部３３は、管理サーバ４０から送信された移動情報収集処理の終了通知を受信する。
【００８２】
Ｓ３１３において、情報収集サーバ３０の制御部３３は、移動情報記憶部３２に記憶されている携帯端末２０の移動情報と、該当する利用者の属性情報とを対応付けて、移動情報記憶用データベース（不図示）に保存する。
【００８３】
上述した第１実施形態の移動情報収集システム１によれば、以下のような効果を奏する。
（１）利用者は、自らの属性情報及び移動情報を提供する見返りとして割引クーポンを得ることができるため、移動情報等の収集に同意し易くなる。また、利用者は、携帯端末２０により煩雑で手間のかかる手続をすることなしに、割引クーポンを得ることができる。更に、割引クーポンを提供する事業者は、ユーザの同意を得るための煩わしい手続きを準備する必要がないので、作業負担が軽減される。従って、移動情報収集システム１によれば、利用者の位置情報をより効率良く収集することができる。
【００８４】
（２）割引クーポンを提供する事業者は、割引クーポンの利用可能な期間に、多人数の移動情報を収集できる。そのため、割引クーポンを提供する事業者は、利用者の行動履歴をより効率良く分析することができる。
【００８５】
（３）携帯端末２０は、管理サーバ４０に接続した際に、利用者に属性情報を入力させるための申込用画面データを取得する。携帯端末２０において、取得した申込用画面データを用いて申込用画面を表示することにより、利用者は、自らの属性情報を入力しやすくなる。そのため、割引クーポンを得ようとする利用者は、より簡単に行動調査モニタキャンペーンに申込みを行うことができる。
【００８６】
（４）携帯端末２０に蓄積された移動情報及び仮ＩＤは、定期的に情報収集サーバ３０に送信される。そのため、割引クーポンを提供する事業者は、情報収集サーバ３０において、携帯端末２０の移動情報等が取得できなくなった場合でも、それまでの利用者の移動情報を活用することができる。
【００８７】
（５）利用者により提供される属性情報が多くなるにつれて、割引クーポンの割引率が大きくなるため、ある程度の個人情報を提供してもよいと考える利用者にとっては、より大きなメリットが生じる。そのため、個人情報の提供に積極的な利用者の利用率の向上が期待できる。これによれば、割引クーポンを提供する事業者は、属性情報をより多く入力した利用者の行動履歴を分析することにより、販売戦略の立案や商品開発により有効なデータを得ることができる。
【００８８】
（６）個人情報の提供に消極的な利用者は、割引率の低い割引クーポンを選択することにより、個人情報が収集されすぎる心配をすることなしに、行動調査モニタキャンペーンに申込むことができる。そのため、移動情報収集システム１によれば、個人情報の提供に積極的な利用者だけでなく、個人情報の提供に消極的な利用者の利用率の向上を期待できるので、より多くの利用者の移動情報を取得することができる。
【００８９】
（７）携帯端末２０の移動情報として、携帯端末２０が通信ネットワーク６０と接続する際に利用する中継装置７０の電波強度情報、及びこの電波強度情報を取得した時刻が用いられる。これによれば、店舗等に設置された無線ＬＡＮの設備（中継装置７０）を利用することができるので、携帯端末２０の移動情報を、より簡単に取得することができる。
【００９０】
（８）携帯端末２０では、移動情報収集処理が終了した場合に、クーポン情報、仮ＩＤ、申込用画面データ等のほか、情報収集プログラム２５１、移動情報管理テーブル２５２が記憶部２５から削除される。また、管理サーバ４０では、利用者の属性情報が記憶部４１から削除される。そのため、移動情報収集システム１によれば、利用者の個人情報に関するセキュリティ性を高めることができる。
【００９１】
［第２実施形態］
次に、第２実施形態の移動情報収集システム１Ａについて説明する。第２実施形態の移動情報収集システム１Ａの全体構成は、第１実施形態（図１参照）と同じであるため、説明を省略する。
【００９２】
本実施形態の移動情報収集システム１Ａは、利用者の移動情報収集処理が第１実施形態と異なる。本実施形態における利用者の属性情報取得処理は、第１実施形態（図６参照）と同じであるため説明を省略する。図９は、第２実施形態の移動情報収集システム１Ａにおいて実行される移動情報収集処理を示すフローチャートである。図９に示すフローチャートの処理は、割引クーポンの有効日において、割引クーポンの利用開始時間となった時点でスタートする。なお、情報収集サーバ３０、及び管理サーバ４０の処理については、図７と同じであるため、図７と同じステップ番号を記載して、説明を省略する。また、携帯端末２０の処理において、図７と重複する説明を適宜に省略する。
【００９３】
図９に示すＳ１２１において、携帯端末２０の制御部２６は、携帯端末２０の移動情報を取得するタイミングか否かを判断する。Ｓ１２１の判定がＹＥＳであれば、処理はＳ１２２へ移行する。また、Ｓ１２１の判定がＮＯであれば、処理はＳ１２１へ戻る。
【００９４】
Ｓ１２２において、携帯端末２０の制御部２６は、携帯端末２０の移動情報を取得し、記憶部２５に記憶させる。なお、電波状態が悪く、中継装置７０の電波強度を測定できない場合、Ｓ１２２の処理をスキップして、処理はＳ１２３へ移行する。
【００９５】
Ｓ１２３において、携帯端末２０の制御部２６は、クーポン情報が利用されたか否かを判定する。携帯端末２０の制御部２６は、記憶部２５に記憶されたクーポン情報が、店舗のリーダライタ５１（図１参照）で読み取られた場合に、クーポン情報が利用されと判定する。Ｓ１２３の判定がＹＥＳであれば、処理はＳ１２４へ移行する。また、Ｓ１２３の判定がＮＯであれば、処理はＳ１２５へ移行する。
【００９６】
Ｓ１２４において、携帯端末２０の制御部２６は、移動情報管理テーブル２５２に記憶されている移動情報に、情報収集サーバ３０から受信した仮ＩＤを関連付けて、情報収集サーバ３０へ送信する。
【００９７】
Ｓ１２５（Ｓ１２３：ＮＯ）において、携帯端末２０の制御部２６は、割引クーポンの利用終了時間となったか否かを判定する。Ｓ１２５の判定がＹＥＳであれば、処理はＳ１２６へ移行する。また、Ｓ１２５の判定がＮＯであれば、処理はＳ１２１へ戻る。
Ｓ１２６において、携帯端末２０の制御部２６は、管理サーバ４０に、移動情報収集処理の終了通知を送信する。
【００９８】
Ｓ１２７において、携帯端末２０の制御部２６は、行動調査モニタキャンペーンの終了を知らせる画面をタッチパネル２４に表示させると共に、クーポン情報、仮ＩＤ、申込用画面データ等のほか、情報収集プログラム２５１、移動情報管理テーブル２５２を記憶部２５から削除する。
【００９９】
なお、Ｓ１２７において、携帯端末２０の制御部２６は、移動情報管理テーブル２５２に未送信の移動情報が存在する場合には、その移動情報に仮ＩＤを関連付けて、情報収集サーバ３０へ送信する。
【０１００】
上述した第２実施形態の移動情報収集システム１Ａによれば、第１実施形態の移動情報収集システム１と同じ効果（１）〜（３）、（５）〜（８）を奏するほか、更に以下のような効果を奏する。
【０１０１】
（９）携帯端末２０に蓄積された移動情報及び仮ＩＤは、割引クーポンの利用可能時間内に、クーポン情報がリーダライタ５１で読み取られた場合に情報収集サーバ３０に送信される。そのため、割引クーポンを提供する事業者は、商品を購入した利用者の移動情報のみを収集することができる。これによれば、割引クーポンを提供する事業者は、商品の販売に直結した具体的な移動情報のみを収集することができるので、より正確な販売戦略の立案が可能となる。
【０１０２】
（１０）割引クーポンの利用可能時間内に、クーポン情報がリーダライタ５１で読み取られない場合、携帯端末２０に蓄積された移動情報及び仮ＩＤは、情報収集サーバ３０に送信されることなく削除される。この場合、利用者の行動履歴が分析されることがないため、割引クーポンを利用しなかった利用者に安心感を与えることができる。
【０１０３】
以上、本発明の実施形態について説明したが、本発明は、上述した実施形態に限定されるものではない。また、実施形態に記載した効果は、本発明から生じる最も好適な効果を列挙したに過ぎず、実施形態に記載したものに限定されない。なお、上述した実施形態及び後述する変形形態は、適宜に組み合わせて用いることもできるが、詳細な説明は省略する。
【０１０４】
［変形形態］
（１）上記実施形態では、携帯端末２０の移動情報として、第１通信部２２により、店舗に設置された中継装置７０の電波強度情報及びこの電波強度情報を取得した時刻を用いた例について説明した。これに限らず、ＧＰＳ受信機を備えた携帯端末２０において、ＧＰＳ受信機が取得した位置座標及び時刻を、携帯端末２０の移動情報として用いてもよい。この場合、無線ＬＡＮの中継装置７０が設置されていない街頭、観光地等においも、携帯端末２０の位置情報を取得することができる。
【０１０５】
また、店舗内では、第１通信部２２により中継装置７０の電波強度情報を取得し、無線ＬＡＮの中継装置７０が設置されていない場所では、ＧＰＳ受信機により位置座標を取得するようにしてもよい。このように、携帯端末２０の移動する場所に応じて、携帯端末２０の移動情報を取得する機能を切り替えることにより、携帯端末２０の位置情報をより確実に取得することができる。
【０１０６】
（２）上記実施形態では、移動情報管理テーブル２５２に記憶された携帯端末２０の移動情報及び仮ＩＤを、第１通信部２２を介して情報収集サーバ３０に送信する例について説明した。これに限らず、移動情報管理テーブル２５２に記憶された携帯端末２０の移動情報及び仮ＩＤを、第２通信部２３を介して情報収集サーバ３０に送信させてもよい。
【０１０７】
（３）上記実施形態では、携帯端末２０から受信した利用者の属性情報を、管理サーバ４０を介して情報収集サーバ３０へ転送する例について説明した。これに限らず、携帯端末２０が管理サーバＵＲＩにより管理サーバ４０に接続した際に、管理サーバ４０からリダイレクト先となる情報収集サーバ接続先（情報収集サーバＵＲＩ）を携帯端末２０へ送信するようにしてもよい。この場合、申込用画面データは、情報収集サーバ３０から携帯端末２０へ送信される。また、携帯端末２０から送信された利用者の属性情報は、情報収集サーバ３０へ送信される。
【０１０８】
（４）上記実施形態では、携帯端末２０に記憶されたクーポン情報を、リーダライタ５１で読み取る例について説明した。これに限らず、割引クーポンを利用可能時間内に何回でも利用できる場合には、商品を精算する際に、クーポン情報の表示された画像を店舗のスタッフに見せるだけでもよい。この場合、店舗のスタッフは、クーポン情報の表示された画像を見ることにより、割引クーポンの割引率を確認することができる。
【０１０９】
（５）上記実施形態では、携帯端末２０から、携帯端末２０の移動情報及び仮ＩＤを情報収集サーバ３０へ送信する例について説明した。これに限らず、携帯端末２０の移動情報及び仮ＩＤのほか、割引クーポンが利用された場合には、利用されたクーポン情報のグレード、購入した商品に関する情報を情報収集サーバ３０へ送信するようにしてもよい。なお、利用者が店舗で商品を購入した際に、利用者の購入した商品に関する情報を、リーダライタ５１から携帯端末２０へ送信することにより、利用者の購入した商品に関する情報を記憶部２５に記憶させることができる。
【０１１０】
（６）上記実施形態において、レジスタ５０（図１参照）に、クーポン情報のほか、利用した時刻（複数回利用できる場合は、利用したそれぞれの時刻）、購入した商品に関する情報等を関連付けてメモリに記憶させてもよい。そして、レジスタ５０から、クーポン情報の識別情報、クーポン情報の利用された時刻、利用されたクーポン情報のグレード、及び購入した商品に関する情報を情報収集サーバ３０に送信してもよい。この場合、携帯端末２０は、移動情報及び仮ＩＤのみを情報収集サーバ３０へ送信する。
【０１１１】
（７）上記実施形態では、割引クーポンを提供する事業者が１社である場合について説明した。これに限らず、割引クーポンを提供する事業者が複数社あり、それぞれの事業者において、情報収集サーバ３０を管理、運営する構成としてもよい。
【符号の説明】
【０１１２】
１，１Ａ    移動情報収集システム
１０    ポスタ
１２    ＩＣタグ
２０    携帯端末
２１    アンテナ部
２２    第１通信部
２３    第２通信部
２４    タッチパネル
２６    制御部
３０    情報収集サーバ
３３    制御部
４０    管理サーバ
４２    制御部
５１    リーダライタ
【図１】
2015153371.tif 000003
【図２】
2015153371.tif 000004
【図３】
2015153371.tif 000005
【図４】
2015153371.tif 000006
【図５】
2015153371.tif 000007
【図６】
2015153371.tif 000008
【図７】
2015153371.tif 000009
【図８】
2015153371.tif 000010
【図９】
2015153371.tif 000011